(57)【要約】【課題】回転バルーンのような膨張収縮部材の膨張・収縮を適切な形状で繰り返し、確実に管壁を手繰り寄せて管内移動体を移動させることのできる管内移動体用アクチュエータ、内視鏡、及び管内移動体用アクチュエータの制御方法を提供する。【解決手段】係止バルーン４４の内部に内側バルーン５４が設けられ、内側バルーン５４を膨張させた状態で、係止バルーン４４、第１駆動バルーン４２、及び第２駆動バルーン４６の膨張・収縮を制御する。これによって、収縮状態にある係止バルーン４４は内側バルーン５４の動きに追従して所望の状態に変化することができ、適切に再膨張することができる。その結果、確実に管壁を手繰り寄せて管内移動体を移動させることができる。【選択図】図５
2011041750.tif 000002
【特許請求の範囲】
【請求項１】
管内に挿入される管内移動体に固定され、膨張時に前記管内の管壁に係止した状態となるように構成される第１の膨張収縮部材と、
前記第１の膨張収縮部材の内部に配置された状態で前記管内移動体に固定される第２の膨張収縮部材と、
前記第１の膨張収縮部材の前記管内移動体の移動方向の前後に並べて配置された状態で前記管内移動体に固定され、膨張時に前記管壁に係止した状態とならないように構成されると共に前記第１又は第２の膨張収縮部材に押圧力を付与する第３及び第４の膨張収縮部材と、
前記第２の膨張収縮部材を膨張させた状態で、前記第１の膨張収縮部材、前記第３の膨張収縮部材、及び前記第４の膨張収縮部材の膨張及び収縮を制御することにより、前記管内移動体を前記管壁に対して相対的に移動させる制御手段と、
を備えたことを特徴とする管内移動体用アクチュエータ。
【請求項２】
前記第２の膨張収縮部材は膨張時に、収縮状態にある前記第１の膨張収縮部材を介して前記管壁に係止した状態とならないように構成されることを特徴とする請求項１に記載の管内移動体用アクチュエータ。
【請求項３】
前記第２の膨張収縮部材は膨張時に、前記管内移動体の表面から前記管内移動体の径方向の最大距離が１５ｍｍ以下に構成されることを特徴とする請求項２に記載の管内移動体用アクチュエータ。
【請求項４】
前記制御手段は、前記第１の膨張収縮部材が収縮状態のとき、前記第３又は第４の膨張収縮部材を膨張させることによって、膨張状態にある前記第２の膨張収縮部材を前記管内移動体に対する固着部を中心として回転させ、前記第１の膨張収縮部材を前記第２の膨張収縮部材の回転に追従させて回転させることを特徴とする請求項１乃至３のいずれか１項に記載の管内移動体用アクチュエータ。
【請求項５】
請求項１乃至４のいずれか１項に記載の管内移動体用アクチュエータにおいて、
前記管内移動体に固定され、膨張時に前記管内の管壁に係止した状態となるように構成される第５の膨張収縮部材を更に備え、
前記制御手段は、前記第５の膨張収縮部材の膨張及び収縮を制御することを特徴とする管内移動体用アクチュエータ。
【請求項６】
前記制御手段は、前記第１の膨張収縮部材及び前記第５の膨張収縮部材の少なくとも一方を膨張させて前記管壁に係止させた状態を保持すると共に、前記第３及び第４の膨張収縮部材の膨張及び収縮を制御することにより、前記管内移動体を前記管壁に対して相対的に移動させることを特徴とする請求項５に記載の管内移動体用アクチュエータ。
【請求項７】
前記管内移動体の移動方向の前方から前記第３の膨張収縮部材、前記第１の膨張収縮部材、前記第４の膨張収縮部材、前記第５の膨張収縮部材の順に配置されていることを特徴とする請求項５又は６に記載の管内移動体用アクチュエータ。
【請求項８】
前記管内移動体の移動方向の前方から前記第５の膨張収縮部材、前記第３の膨張収縮部材、前記第１の膨張収縮部材、前記第４の膨張収縮部、の順に配置されていることを特徴とする請求項５又は６に記載の管内移動体用アクチュエータ。
【請求項９】
前記第１の膨張収縮部材は、膨張させて前記管壁に係止させた状態で収縮状態の前記第３又は第４の膨張収縮部材の少なくとも一部に覆い被さることを特徴とする請求項１乃至８のいずれか１項に記載の管内移動体用アクチュエータ。
【請求項１０】
請求項１乃至９のいずれか１項に記載の管内移動体用アクチュエータを備えることを特徴とする内視鏡。
【請求項１１】
管内に挿入される管内移動体に固定され、膨張時に前記管内の管壁に係止した状態となるように構成される第１の膨張収縮部材と、
前記第１の膨張収縮部材の内部に配置された状態で前記管内移動体に固定される第２の膨張収縮部材と、
前記第１の膨張収縮部材の前記管内移動体の移動方向の前後に並べて配置された状態で前記管内移動体に固定され、膨張時に前記管壁に係止した状態とならないように構成されると共に前記第１又は第２の膨張収縮部材に押圧力を付与する第３及び第４の膨張収縮部材と、を備えた管内移動体用アクチュエータの制御方法であって、
前記第２の膨張収縮部材を膨張させた状態で、前記第１の膨張収縮部材、前記第３の膨張収縮部材、及び前記第４の膨張収縮部材の膨張及び収縮を制御することにより、前記管内移動体を前記管壁に対して相対的に移動させることを特徴とする管内移動体用アクチュエータの制御方法。
【発明の詳細な説明】
【技術分野】
【０００１】
本発明は管内移動体用アクチュエータ、内視鏡、及び管内移動体用アクチュエータの制御方法に係り、特に、管壁に推進力を伝えて管内を移動する技術に関する。
【背景技術】
【０００２】
内視鏡の大腸挿入は、大腸が体内で曲がりくねった構造であること、体腔に固定されていない部分があることなどから、非常に難しい。そのため、挿入手技の習得には多くの経験を必要とし、挿入手技が未熟の場合には、患者に大きな苦痛を与える結果となる。
【０００３】
大腸部位の中で特に挿入が難しいと言われているのは、Ｓ状結腸と横行結腸である。Ｓ状結腸と横行結腸はその他の結腸とは異なり体腔内に固定されていない。そのため、自身の長さの範囲にて体腔内で任意な形状をとることができ、また、内視鏡挿入時の接触力により体腔内で変形する。
【０００４】
大腸挿入においては、挿入時の腸管への接触を少しでも減らすために、Ｓ状結腸や横行結腸を直線化することが重要である。直線化のために多くの手技がこれまで提案されているが、同時に、曲がった腸管を手繰り寄せて湾曲度合いを低減するための挿入補助具がいくつか提案されている。
【０００５】
例えば、特許文献１、２には、可撓管部の外周面に螺旋状に４本の膨張・収縮が可能な変動チューブ巻回されており、各変動チューブ内の圧力を変動させて４本の変動チューブを順次膨張・収縮させることにより、外皮の外周面を順次膨張・収縮させて先端側から手元側に膨張部を移動させて腸管を手繰り寄せる技術が開示されている。
【先行技術文献】
【特許文献】
【０００６】
【特許文献１】特開平１１−９５４５号公報
【特許文献２】特開２００６−２２３８９５号公報
【発明の概要】
【発明が解決しようとする課題】
【０００７】
しかしながら、複数の変動チューブの上下運動だけではチューブの接触面を移動させる効果はほとんどない。腸管のひだが、膨張したチューブ間の溝に効率的に入った場合にのみ手繰り寄せる効果があるが、Ｓ状結腸ではひだはほとんど存在せず、また手繰り寄せる過程で腸管は直線化しひだの突起量は小さくなるため、手繰り寄せる効果は著しく低減する。
【０００８】
一方、例えば１つのバルーンを膨張させ該バルーンの外周面の第１の部分を腸管内壁に当接させて係止させた状態としたときに、該第１の部分と連続しているバルーンの外周面の第２の部分に腸管内壁に沿ってバルーンの外周面を移動させると、バルーンが腸管内壁に当接している状態ではこの第１の部分から第２の部分の移動に伴い、例えば腸管内壁を手繰り寄せることできるが、腸管等の生体組織は、その組織の弾性により応力を加えることで管径方向だけでなく管内壁に沿って伸縮すると共に、応力を解除すると該弾性による復元力によって伸縮前の状態に戻る性質があるため、バルーンを収縮させ腸管内壁から離すと、上述した復元力により手繰り寄せた腸管内壁が元に戻ることになる。
【０００９】
このように、１つのバルーンによって係止力を発生させて腸壁に係止させ、かつ推進力を発生させて腸壁に対し相対的に移動させることは困難である。
【００１０】
これに対し、複数のバルーンを用いて管内移動体を腸壁に対し相対的に移動させる回転バルーン方式によれば、１つのバルーンのみを用いる方式に比べて大きな推進量と推進力を得ることができ、管内移動体を腸壁に対し相対的に移動させることができる。
【００１１】
ここで、回転バルーン方式の概略について図８及び図９を用いて簡単に説明する。回転バルーン方式では、例えば図８に示すように、管内移動体９００の先端部に複数のバルーン９０２、９０４、９０６が並べて配置される。以下では、中央に配置されるバルーン９０４を回転バルーン又は係止バルーンといい、その両側に配置されるバルーン９０２、９０６をそれぞれ第１駆動バルーン、第２駆動バルーンという。
【００１２】
管内移動体９００を腸壁（図８中不図示、図９に符号９１０で図示）に対し相対的に進める場合には、腸管内に管内移動体９００に挿入され、回転バルーン（係止バルーン）９０４と第１及び第２駆動バルーン９０２、９０６がいずれも収縮している状態を初期状態としたとき、まず、第２駆動バルーン９０６を膨張させ、収縮状態にある回転バルーン９０４が第１駆動バルーン９０２に覆い被さった状態にする（図９（Ａ））。
【００１３】
次に、回転バルーン９０４を膨張させて、回転バルーン９０４が腸壁９１０に係止した状態にする（図９（Ｂ））。
【００１４】
続いて、第２駆動バルーン９０６を収縮させると共に、第１駆動バルーン９０２を膨張させ、回転バルーン９０４を管内移動体９００に対する固着部９０４ａを中心として管内移動体９００の進行方向（矢印Ａで示す方向）からその反対側の方向に回転させる（図９（Ｃ））。このとき、回転バルーン９０４は腸壁９１０に当接しながら回転するので、腸壁９１０は管内移動体９００の進行方向の後方に手繰り寄せられる。その結果、管内移動体９００は腸壁９１０に対し相対的に進行方向の前方に推進する。
【００１５】
そして、回転バルーン９０４及び第１駆動バルーン９０２を共に収縮させ、腸壁９１０に対する係止状態を解除する（図９（Ｄ））。
【００１６】
こうして、回転バルーン９０４と第１及び第２駆動バルーン９０２、９０６が全て収縮した初期状態となる。以降、図９（Ａ）〜（Ｄ）に示した各動作を繰り返すことにより、管内移動体９００を腸壁９１０に対し相対的に進行方向の前方に逐次推進させることができる。
【００１７】
しかしながら、上述した回転バルーン方式では、第２駆動バルーン９０６の膨張によって、回転バルーン９０４が第２駆動バルーン９０６に覆い被さった状態（図９（Ｄ））から第１駆動バルーン９０２に覆い被さった状態（図９（Ａ））に変化させているが、このときの回転バルーン９０４は完全に収縮した状態で行われている。
【００１８】
このため、回転バルーン９０４が自身で巻き付きを起こしたり、第２駆動バルーン９０６の表面に巻き付いた状態となってしまい、第２駆動バルーン９０６を膨張させても、図９（Ａ）に示すように回転バルーン９０４が巻き付きを起こすことなく第１駆動バルーン９０２に覆い被さった状態とならない可能性がある。その結果、回転バルーン９０４を適切に再膨張させることができない恐れがある。また、このような状態で回転バルーン９０４を再膨張させた場合には、回転バルーン９０４が腸壁９１０に係止することによって腸壁９１０を元の位置（管内移動体９００の進行方向）に戻ってしまう可能性もある。
【００１９】
このように従来の回転バルーン方式では、回転バルーンの巻き付きによって回転バルーンが適切に再膨張できず、腸壁に対する管内移動体の相対的な移動が適切に行われないという問題がある。
【００２０】
本発明はこのような事情に鑑みてなされたもので、回転バルーンのような膨張収縮部材の膨張・収縮を適切な形状で繰り返し、確実に管壁を手繰り寄せて管内移動体を移動させることのできる管内移動体用アクチュエータ、内視鏡、及び管内移動体用アクチュエータの制御方法を提供することを目的とする。
【課題を解決するための手段】
【００２１】
前記目的を達成するために、本発明の第１の態様に係る管内移動体用アクチュエータは、管内に挿入される管内移動体に固定され、膨張時に前記管内の管壁に係止した状態となるように構成される第１の膨張収縮部材と、前記第１の膨張収縮部材の内部に配置された状態で前記管内移動体に固定される第２の膨張収縮部材と、前記第１の膨張収縮部材の前記管内移動体の移動方向の前後に並べて配置された状態で前記管内移動体に固定され、膨張時に前記管壁に係止した状態とならないように構成されると共に前記第１又は第２の膨張収縮部材に押圧力を付与する第３及び第４の膨張収縮部材と、前記第２の膨張収縮部材を膨張させた状態で、前記第１の膨張収縮部材、前記第３の膨張収縮部材、及び前記第４の膨張収縮部材の膨張及び収縮を制御することにより、前記管内移動体を前記管壁に対して相対的に移動させる制御手段と、を備えたことを特徴とする。
【００２２】
本発明によれば、第１の膨張収縮部材（回転バルーン）の内部に第２の膨張収縮部材（内側バルーン）が設けられ、第２の膨張収縮部材を膨張させた状態で制御が行われるので、収縮状態にある第１の膨張収縮部材は、自身で巻き付きを起こすことなく、第２の膨張収縮部材の動きに追従して所望の状態に変化することができ、適切に再膨張を行うことができる。その結果、確実に管壁を手繰り寄せて管内移動体を移動させることができる。
【００２３】
本発明の第２の態様に係る管内移動体用アクチュエータは、前記第１の態様において、前記第２の膨張収縮部材は膨張時に、収縮状態にある前記第１の膨張収縮部材を介して前記管壁に係止した状態とならないように構成されることを特徴とする。
【００２４】
本発明の第３の態様に係る管内移動体用アクチュエータは、前記第２の態様において、前記第２の膨張収縮部材は膨張時に、前記管内移動体の表面から前記管内移動体の径方向の最大距離が１５ｍｍ以下に構成されることを特徴とする。
【００２５】
本発明の第４の態様に係る管内移動体用アクチュエータは、前記第１乃至３のいずれかの態様において、前記制御手段は、前記第１の膨張収縮部材が収縮状態のとき、前記第３又は第４の膨張収縮部材を膨張させることによって、膨張状態にある前記第２の膨張収縮部材を前記管内移動体に対する固着部を中心として回転させ、前記第１の膨張収縮部材を前記第２の膨張収縮部材の回転に追従させて回転させることを特徴とする。
【００２６】
本発明の第５の態様に係る管内移動体用アクチュエータは、前記第１乃至４のいずれかの態様において、前記管内移動体に固定され、膨張時に前記管内の管壁に係止した状態となるように構成される第５の膨張収縮部材を更に備え、前記制御手段は、前記第５の膨張収縮部材の膨張及び収縮を制御することを特徴とする。
【００２７】
本発明の第６の態様に係る管内移動体用アクチュエータは、前記第５の態様において、前記制御手段は、前記第１の膨張収縮部材及び前記第５の膨張収縮部材の少なくとも一方を膨張させて前記管壁に係止させた状態を保持すると共に、前記第３及び第４の膨張収縮部材の膨張及び収縮を制御することにより、前記管内移動体を前記管壁に対して相対的に移動させることを特徴とする。
【００２８】
本発明の第７の態様に係る管内移動体用アクチュエータは、前記第５又は６の態様において、前記管内移動体の移動方向の前方から前記第３の膨張収縮部材、前記第１の膨張収縮部材、前記第４の膨張収縮部材、前記第５の膨張収縮部材の順に配置されていることを特徴とする。
【００２９】
本発明の第８の態様に係る管内移動体用アクチュエータは、前記第５又は６の態様において、前記管内移動体の移動方向の前方から前記第５の膨張収縮部材、前記第３の膨張収縮部材、前記第１の膨張収縮部材、前記第４の膨張収縮部、の順に配置されていることを特徴とする。
【００３０】
本発明の第９の態様に係る管内移動体用アクチュエータは、前記第１乃至８のいずれかの態様において、前記第１の膨張収縮部材は、膨張させて前記管壁に係止させた状態で収縮状態の前記第３又は第４の膨張収縮部材の少なくとも一部に覆い被さることを特徴とする。
【００３１】
本発明の第１０の態様に係る内視鏡は、前記第１乃至９のいずれかの態様の管内移動体用アクチュエータを備えることを特徴とする。
【００３２】
本発明の第１１の態様に係る管内移動体用アクチュエータの制御方法は、管内に挿入される管内移動体に固定され、膨張時に前記管内の管壁に係止した状態となるように構成される第１の膨張収縮部材と、前記第１の膨張収縮部材の内部に配置された状態で前記管内移動体に固定される第２の膨張収縮部材と、前記第１の膨張収縮部材の前記管内移動体の移動方向の前後に並べて配置された状態で前記管内移動体に固定され、膨張時に前記管壁に係止した状態とならないように構成されると共に前記第１又は第２の膨張収縮部材に押圧力を付与する第３及び第４の膨張収縮部材と、を備えた管内移動体用アクチュエータの制御方法であって、前記第２の膨張収縮部材を膨張させた状態で、前記第１の膨張収縮部材、前記第３の膨張収縮部材、及び前記第４の膨張収縮部材の膨張及び収縮を制御することにより、前記管内移動体を前記管壁に対して相対的に移動させることを特徴とする。
【発明の効果】
【００３３】
本発明によれば、第１の膨張収縮部材（回転バルーン）の内部に第２の膨張収縮部材（内側バルーン）が設けられ、第２の膨張収縮部材を膨張させた状態で制御が行われるので、収縮状態にある第１の膨張収縮部材は、自身で巻き付きを起こすことなく、第２の膨張収縮部材の動きに追従して所望の状態に変化することができ、適切に再膨張を行うことができる。その結果、確実に管壁を手繰り寄せて管内移動体を移動させることができる。
【図面の簡単な説明】
【００３４】
【図１】電子内視鏡の構成図である。
【図２】挿入部の先端部の拡大断面図である。
【図３】バルーン制御装置のブロック構成図である。
【図４】推進動作における正進動作のタイムチャートを示した図である。
【図５】図４の正進動作のタイミングチャートに対応させた各バルーンの膨張及び収縮の様子を示した概略断面図である。
【図６】推進動作における逆進動作のタイムチャートを示した図である。
【図７】図６の逆進動作のタイミングチャートに対応させた各バルーンの膨張及び収縮の様子を示した概略断面図である。
【図８】回転バルーン方式を説明するための概略図である。
【図９】回転バルーン方式によって管内移動体を推進させるときの様子を示した説明図である。
【発明を実施するための形態】
【００３５】
以下、添付図面に従って本発明の好ましい実施の形態について詳説する。
【００３６】
図１は、本発明の実施形態に係る電子内視鏡の外観を示す図である。また、図２は、図１の電子内視鏡の先端部の構成を示す図である。
【００３７】
図１に示すように、本実施形態の電子内視鏡１は、被検体の管内に挿入され当該管内を移動する管内移動体である挿入部１０と、挿入部１０の基端部分に連設された操作部１２とを備えて構成される。
【００３８】
挿入部１０の先端に連設された先端部１０ａには、被検体内の被観察部位の像光を取り込むための対物レンズと像光を撮像する撮像素子（いずれも図示せず）が内蔵されている。撮像素子により取得された被検体内の画像は、ユニバーサルコード１４に接続されたプロセッサ装置のモニタ（いずれも図示せず）に内視鏡画像として表示される。
【００３９】
また、先端部１０ａには、被観察部位に光源装置（図示せず）からの照明光を照射するための照明窓や、鉗子口１６と連通した鉗子出口、送気・送水ボタン１２ａを操作することによって、対物レンズを保護する観察窓の汚れを落とすための洗浄水やエアーが噴射されるノズルなどが設けられている。
【００４０】
先端部１０ａの後方には、複数の湾曲駒を連結した湾曲部１０ｂが設けられている。湾曲部１０ｂは、操作部１２に設けられたアングルノブ１２ｂが操作されて、挿入部１０内に挿設されたワイヤが押し引きされることにより、上下左右方向に湾曲動作する。これにより、先端部１０ａが被検体内の所望の方向に向けられる。
【００４１】
湾曲部１０ｂの後方には、可撓性を有する軟性部１０ｃが設けられている。軟性部１０ｃは、先端部１０ａが被観察部位に到達可能なように、且つ術者が操作部１２を把持して操作する際に支障を来さない程度に患者との距離を保つために、１〜数ｍの長さを有する。
【００４２】
先端部１０ａには、その進行方向の前方側（図２の右側）から順に、第１駆動バルーン４２、係止バルーン４４、及び第２駆動バルーン４６の３つのバルーンが並べて配置されており、さらにこれらの後方には保持バルーン２３が所定の間隔をおいて配置されている。
【００４３】
係止バルーン４４は、膨張時に管壁の内壁面に接して係止することができる膨張特性を有するバルーンであり、その内部の中央付近には係止バルーン４４よりも小さな膨張特性を有する内側バルーン５４が設けられている。この内側バルーン５４は、係止バルーン４４の収縮時に膨張させたとき、係止バルーン４４を介して管壁の内壁面に係止した状態とならないように構成されている。例えば、管壁の内径（直径）が５０ｍｍ、先端部１０ａの外径が１０ｍｍである場合には、内側バルーン５４の膨張量（先端部１０ａの表面（周面）から径方向（軸方向に垂直な方向）に向かってバルーン表面（内側バルーン５４の表面）までの最大距離）は１５ｍｍ以下に設定することが好ましい。また、内側バルーン５４の材料は、ゴムのような超弾性体で構成されることが好ましいが、必ずしもそれに限定されず、布のような材料で構成されていてもよい。
【００４４】
このように構成される内側バルーン５４は、後述する推進動作において常に膨張状態となるように制御されるので、収縮状態にある係止バルーン４４が、自身で巻き付きを起こすことなく、膨張状態にある内側バルーン５４の動きに追従して所望の状態に変化し、適切に再膨張を行うことができるようになっている。
【００４５】
第１及び第２駆動バルーン４２、４６は、膨張時であっても管壁の内壁面に係止した状態とならないように構成されている。
【００４６】
後述する推進動作では、係止バルーン４４及び保持バルーン２３の少なくとも一方が膨張して管壁に当接して係止されるようになっている。
【００４７】
第１及び第２駆動バルーン４２、４６、係止バルーン４４、内側バルーン５４、及び保持バルーン２３は、主に膨張収縮自在なラテックスゴムからなり、各バルーン内の圧力を制御するバルーン制御装置１８にそれぞれ接続されている。
【００４８】
先端部１０ａの内部には、第１駆動バルーン４２に連通し気体が送られる送気管４８と、係止バルーン４４に連通し気体が送られる送気管５０と、内側バルーン５４に連通し気体が送られる送気管５６と、第２駆動バルーン４６に連通し気体が送られる送気管５２と、保持バルーン２３に連通し気体が送られる送気管２７とが設けられている。これら送気管４８、５０、５６、５２、２７は、湾曲部１０ｂ、軟性部１０ｃ、及びユニバーサルコード１４の内部を通って前述のバルーン制御装置１８に接続されている。
【００４９】
なお、先端部１０ａにおいて第１及び第２駆動バルーン４２、４６と係止バルーン４４は互いに隣接して配置され、挿入部１０の周方向全体に形成される。また、係止バルーン４４内部に設けられる内側バルーン５４も同様に、挿入部１０の周方向全体に形成される。第１及び第２駆動バルーン４２、４６、係止バルーン４４、内側バルーン５４は、挿入部１０の周方向に一様な形状（軸対称な形状）に構成されていることが好ましいが、これに限定されず、挿入部１０の周方向に一様ではない形状（非軸対称な形状）であってもよい。
【００５０】
また、第１及び第２駆動バルーン４２、４６と係止バルーン４４及び内側バルーン５４が挿入部１０の先端部１０ａに配置された構成となっているが、これに限らず、湾曲部１０ｂや軟性部１０ｃに配置されていてもよい。
【００５１】
また、少なくとも係止バルーン４４と第１駆動バルーン４２、係止バルーン４４と第２駆動バルーン４６は、互いに形状が異なることが好ましい。
【００５２】
また、図２に示すように係止バルーン４４が収縮時に第１駆動バルーン４２や第２駆動バルーン４６に必ずしも覆い被さっている必要はなく、後述するように、少なくとも係止バルーン４４が膨張して腸壁４０（図５又は図７参照）を係止した時に、係止バルーン４４が第１駆動バルーン４２や第２駆動バルーン４６に覆い被さっていればよい。
【００５３】
上記のように構成された電子内視鏡１で、例えば、大腸や小腸のように複雑に屈曲した管路の内壁面を観察する場合には、第１及び第２駆動バルーン４２、４６と係止バルーン４４及び内側バルーン５４が収縮した状態で挿入部１０を被検体内に挿入し、光源装置を点灯して被検体内を照明しながら、撮像素子により得られる内視鏡画像をモニタで観察する。
【００５４】
先端部１０ａが管路に到達すると、バルーン制御装置１８により第１及び第２駆動バルーン４２、４６、係止バルーン４４、及び保持バルーン２３の膨張・収縮を制御して、管路の内壁面に押圧力を作用させる。このとき、内側バルーン５４は常に膨張した状態で前記制御が行われる。これにより、管路の内壁面が手繰り寄せられ、挿入部１０が管路の内壁面に対し相対的に進行方向の前方または後方に推進する。
【００５５】
なお、推進動作のフローの詳しい説明は後述する。また、以下の説明において、先端部１０ａが進行方向の前方に推進する動作を正進動作とし、先端部１０ａが進行方向の後方に推進する動作を逆進動作とする。
【００５６】
図３は、図１のバルーン制御装置１８のブロック構成図である。図３に示すように、バルーン制御装置１８は、吸引ポンプ３４、供給ポンプ３６、圧力制御部３２、及びバルブ開閉制御部３０を備えて構成される。
【００５７】
バルーン制御装置１８は、第１及び第２駆動バルーン４２、４６、係止バルーン４４、内側バルーン５４、及び保持バルーン２３を個々に独立して内圧が調整できる構造となっており、バルブ開閉制御部３０と圧力制御部３２を介して、吸引ポンプ３４及び供給ポンプ３６が第１及び第２駆動バルーン４２、４６、係止バルーン４４、内側バルーン５４、及び保持バルーン２３に接続されている。
【００５８】
バルーン制御装置１８は、後述する推進動作のフローチャートに従った処理を実行し、バルブ開閉制御部３０によって各バルーンに接続されたバルブ（不図示）の開閉を制御し、圧力制御部３２によって吸引ポンプ３４と供給ポンプ３６を制御する。
【００５９】
次に、電子内視鏡１の先端部１０ａの推進動作について説明する。
【００６０】
図４は、推進動作における正進動作のタイミングチャートを示した図である。また、図５は、図４の正進動作のタイミングチャートに対応させた各バルーンの膨張及び収縮の様子を示した概略断面図である。
【００６１】
図４のタイミングチャートの開始時（即ち、図４の工程Ａが開始される時点）では、電子内視鏡１の先端部１０ａが測定対象（例えば大腸）内に挿入された状態において、第２駆動バルーン４６及び係止バルーン４４が収縮し、且つ、第１駆動バルーン４２が膨張した状態であり、さらに保持バルーン２３が膨張して腸壁４０に係止した状態になっているものとする。また、図４のタイミングチャートの全工程Ａ〜Ｆにわたって、係止バルーン４４内部に設けられる内側バルーン５４は常に膨張した状態となっている。
【００６２】
まず、上記状態から、第１駆動バルーン４２から気体を吸引して収縮させると共に、第２駆動バルーン４６に気体を充填して膨張させる（図４の工程Ａ）。この第２駆動バルーン４６の膨張によって、図５（Ａ）に示すように、係止バルーン４４は第１駆動バルーン４２側に押し出され、収縮した第１駆動バルーン４２に覆い被さる状態になる。
【００６３】
次に、係止バルーン４４に気体を充填して膨張させて、係止バルーン４４を腸壁４０に係止させる（図４の工程Ｂ）。これによって、図５（Ｂ）に示すように、保持バルーン２３と共に係止バルーン４４が腸壁４０に係止した状態となる。
【００６４】
なお、以下では、係止バルーン４４が膨張して腸壁４０に接触している状態のとき、係止バルーン４４の表面のうち、腸壁４０に接触していない部分（即ち、挿入部１０と腸壁４０の間を埋める部分）を第１の部分といい、腸壁４０に接触している部分を第２の部分ということにする。
【００６５】
次に、係止バルーン４４を膨張させた状態を保持すると共に、保持バルーン２３から気体を吸引して収縮させる（図４の工程Ｃ）。これによって、図５（Ｃ）に示すように、係止バルーン４４のみが腸壁４０に係止した状態となる。
【００６６】
続いて、係止バルーン４４を腸壁４０に係止させた状態で、第２駆動バルーン４６から気体を吸引して収縮させると共に、第１駆動バルーン４２に気体を充填して膨張させる（図４の工程Ｄ）。これによって、図５（Ｄ）に示すように、係止バルーン４４は、第１駆動バルーン４２の膨張により先端部１０ａの進行方向の後方に向かってその表面が順々に繰り出されるように徐々に押圧されていく。
【００６７】
換言すれば、係止バルーン４４の表面における第１の部分（腸壁４０に接触していない部分）の前方側（先端部１０ａの進行方向の前方側；図中の右側）は、第１駆動バルーン４２の膨張による押圧力によって、腸壁４０に接触して第２の部分（腸壁４０に接触している部分）へと徐々に遷移する。これにより、係止バルーン４４は、腸壁４０に対し先端部１０ａの進行方向の後方（図５（Ｄ）の黒矢印）に向かって押圧力を与える。
【００６８】
即ち、係止バルーン４４がいわゆるキャタピラ（登録商標）のように（無限軌道のように）、腸壁４０を当接しながら先端部１０ａの進行方向の後方に向かって繰り出される。
【００６９】
そのため、腸壁４０は先端部１０ａの進行方向の後方に手繰り寄せられる。従って、図５（Ｄ）の白矢印のように、電子内視鏡１の先端部１０ａは腸壁４０に対し相対的に進行方向の前方に推進（正進）する。
【００７０】
次に、第１駆動バルーン４２、及び係止バルーン４４を膨張させた状態を保持すると共に、保持バルーン２３を膨張させる（図４の工程Ｅ）。これによって、図５（Ｅ）に示すように、係止バルーン４４と共に保持バルーン２３が腸壁４０に係止した状態となる。
【００７１】
そして、第１駆動バルーン４２及び保持バルーン２３を膨張させた状態を保持し、係止バルーン４４を収縮させる（図４の工程Ｆ）。これによって、図５（Ｆ）に示すように、保持バルーン２３のみが腸壁４０に係止した状態となる。また、係止バルーン４４は第２駆動バルーン４６に覆い被さった状態となる。
【００７２】
以降、正進動作を継続する場合には、図４の工程Ａ〜工程Ｆを繰り返す。
【００７３】
本実施形態に係る正進動作では、係止バルーン４４内部に設けられる内側バルーン５４を常に膨張させた状態で制御が行われるため、収縮状態にある係止バルーン４４が第２駆動バルーン４６に覆い被さった状態のときに（図５（Ｆ））、第２駆動バルーン４６を膨張させると、その押圧力によって膨張状態にある内側バルーン５４は先端部１０ａの進行方向の前方に先端部１０ａに対する固着部を中心として回転移動する。これにより、収縮状態にある係止バルーン４４は、自身で巻き付きを起こすことなく、内側バルーン５４の回転移動に追従して回転移動し、図５（Ａ）に示すように第１駆動バルーン４２に全体的に覆い被さった状態となる。その結果、図５（Ｂ）に示すように、係止バルーン４４を適切に再膨張させることが可能となる。
【００７４】
図６は、推進動作における逆進動作のタイミングチャートを示した図である。また、図７は、図６の逆進動作のタイミングチャートに対応させた各バルーンの膨張及び収縮の様子を示した概略断面図である。
【００７５】
図６のタイミングチャートの開始時（即ち、図６の工程Ａが開始される時点）では、上述した正進動作の開始時（即ち、図４の工程Ａが開始される時点）と同様に、電子内視鏡１の先端部１０ａが測定対象（例えば大腸）内に挿入された状態において、第１駆動バルーン４２及び係止バルーン４４が収縮し、且つ、第２駆動バルーン４６が膨張した状態であり、さらに保持バルーン２３が膨張して腸壁４０に係止した状態になっているものとする。また、係止バルーン４４内部に設けられる内側バルーン５４は膨張した状態になっているものとする。
【００７６】
まず、上記状態から、第２駆動バルーン４６から気体を吸引して収縮させると共に、第１駆動バルーン４２に気体を充填して膨張させる（図６の工程Ａ）。この第１駆動バルーン４２の膨張によって、図７（Ａ）に示すように、係止バルーン４４は第２駆動バルーン４６側に押し出され、収縮した第２駆動バルーン４６に覆い被さる状態になる。
【００７７】
次に、係止バルーン４４に気体を充填して膨張させて、係止バルーン４４を腸壁４０に係止させる（図６の工程Ｂ）。これによって、図７（Ｂ）に示すように、保持バルーン２３と共に係止バルーン４４が腸壁４０に係止した状態となる。
【００７８】
次に、係止バルーン４４を膨張させた状態を保持すると共に、保持バルーン２３から気体を吸引して収縮させる（図６の工程Ｃ）。これによって、図７（Ｃ）に示すように、係止バルーン４４のみが腸壁４０に係止した状態となる。
【００７９】
続いて、係止バルーン４４を腸壁４０に係止させた状態で、第１駆動バルーン４２から気体を吸引して収縮させると共に、第２駆動バルーン４６に気体を充填して膨張させる（図６の工程Ｄ）。これによって、図７（Ｄ）に示すように、係止バルーン４４は、第２駆動バルーン４６の膨張により先端部１０ａの進行方向の前方に向かってその表面が順々に繰り出されるように徐々に押圧されていく。
【００８０】
換言すれば、係止バルーン４４の表面における第１の部分（腸壁４０に接触していない部分）の後方側（先端部１０ａの進行方向の後方側；図中の左側）は、駆動バルーン２０の膨張による押圧力によって、腸壁４０に接触して第２の部分（腸壁４０に接触している部分）へと徐々に遷移する。これにより、係止バルーン４４は、腸壁４０に対し先端部１０ａの進行方向の後方（図７（Ｄ）の黒矢印）に向かって押圧力を与える。
【００８１】
即ち、係止バルーン４４がいわゆるキャタピラ（登録商標）のように（無限軌道のように）、腸壁４０を当接しながら先端部１０ａの進行方向の前方に向かって繰り出される。
【００８２】
そのため、腸壁４０は先端部１０ａの進行方向の前方に手繰り寄せられる。従って、図７（Ｄ）の白矢印のように、電子内視鏡１の先端部１０ａは腸壁４０に対し相対的に進行方向の後方に推進（逆進）する。
【００８３】
次に、第２駆動バルーン４６、及び係止バルーン４４を膨張させた状態を保持すると共に、保持バルーン２３を膨張させる（図６の工程Ｅ）。これによって、図７（Ｅ）に示すように、係止バルーン４４と共に保持バルーン２３が腸壁４０に係止した状態となる。
【００８４】
そして、保持バルーン２３を膨張させた状態を保持し、係止バルーン４４を収縮させる（図６の工程Ｆ）。これによって、図７（Ｅ）に示すように、保持バルーン２３のみが腸壁４０に係止した状態となる。
【００８５】
以降、逆進動作を継続する場合には、図６の工程Ａ〜工程Ｆを繰り返す。
【００８６】
本実施形態に係る逆進動作では、上述した正進動作と同様、係止バルーン４４内部に設けられる内側バルーン５４を常に膨張させた状態で制御が行われるため、収縮状態にある係止バルーン４４が第１駆動バルーン４２に覆い被さった状態のときに（図７（Ｆ））、第１駆動バルーン４２を膨張させると、その押圧力によって膨張状態にある内側バルーン５４は先端部１０ａの進行方向の後方に先端部１０ａに対する固着部を中心として回転移動する。これにより、収縮状態にある係止バルーン４４は、自身で巻き付きを起こすことなく、内側バルーン５４の回転移動に追従して回転移動し、図７（Ａ）に示すように第２駆動バルーン４６に全体的に覆い被さった状態となる。その結果、図７（Ｂ）に示すように、係止バルーン４４を適切に再膨張させることが可能となる。
【００８７】
また、第１及び第２駆動バルーン４２、４６と係止バルーン４４のようにバルーンを使用する代わりに、布のような素材により所望の形状や大きさに膨張収縮が可能な膨張収縮部材を使用してもよい。
【００８８】
また、第１及び第２駆動バルーン４２、４６と係止バルーン４４と内側バルーン５４とから成るバルーンユニットを複数個所に設けてもよい。
【００８９】
また、正進動作又は逆進動作において、内側バルーン５４は常に膨張させておくことは必ずしも必要とするものではないが、第１又は第２駆動バルーン４２、４６の膨張によって膨張状態にある係止バルーン４４を回転させる際に内側バルーン５４が収縮していると、係止バルーン４４の回転の妨げとなることがある。このため本実施形態では、上述したように、内側バルーン５４を常に膨張させた状態で制御が行われている。
【００９０】
以上説明したように本実施形態によれば、係止バルーン４４の内部に内側バルーン５４が設けられ、当該内側バルーン５４を常に膨張させた状態で制御が行われるので、第１又は第２駆動バルーン４２、４６の膨張によって内側バルーン５４を回転移動させると、収縮状態にある係止バルーン４４は、自身で巻き付きを起こすことなく、内側バルーン５４の動きに追従して所望の状態に変化し、その後、適切に再膨張を繰り返すことができる。その結果、確実に腸壁４０を手繰り寄せて先端部１０ａを進行方向の前方又は後方に移動させることができる。
【００９１】
また、本実施形態では、係止バルーン４４及び保持バルーン２３の少なくとも一方を腸壁４０に係止させた状態で推進動作が行われるので、腸管の復元力により手繰り寄せた腸壁４０が元に戻ることなく、確実に、腸管に対して係止力を発生させて腸壁４０に係止させ、かつ推進力を発生させるので、より確実に挿入部１０を腸壁４０に対し相対的に移動させることができる。
【００９２】
なお、本実施形態では、先端部１０ａの進行方向の前方より第１駆動バルーン４２、係止バルーン４４、第２駆動バルーン４６、保持バルーン２３の順序で配設された構成例を示したが、これらの配設順序は本例に限らず、進行方向の前方より保持バルーン２３、第１駆動バルーン４２、係止バルーン４４、第２駆動バルーン４６であってもよい。
【００９３】
また、前記のような正進動作と逆進動作を適宜組み合わせて行うことにより、先端部１０ａを進行方向の前後に移動させることができる。
【００９４】
なお、上述した実施形態では、電子内視鏡１の挿入部１０に直接バルーンを取り付けた例を挙げて説明したが、本発明はこれに限定されず、挿入部１０が挿入固定される筒体（オーバーチューブ）の先端にバルーンが取り付けられていてもよい。
【００９５】
以上、本発明の管内移動体用アクチュエータ、内視鏡、及び管内移動体用アクチュエータの制御方法について詳細に説明したが、本発明は、以上の例には限定されず、本発明の要旨を逸脱しない範囲において、各種の改良や変形を行ってもよいのはもちろんである。
【符号の説明】
【００９６】
１…電子内視鏡、１０…挿入部、１０ａ…先端部、１８…バルーン制御装置、４４…係止バルーン、２３…保持バルーン、４２…第１駆動バルーン、４６…第２駆動バルーン、５４…内側バルーン
【図１】
2011041750.tif 000003
【図２】
2011041750.tif 000004
【図３】
2011041750.tif 000005
【図４】
2011041750.tif 000006
【図５】
2011041750.tif 000007
【図６】
2011041750.tif 000008
【図７】
2011041750.tif 000009
【図８】
2011041750.tif 000010
【図９】
2011041750.tif 000011